(57)【要約】【課題】熱機器において、通信モジュールを利用した外部機器との通信を実行可能な状態を維持しつつ、消費電力を抑制できる技術を提供する。【解決手段】熱機器は、電源部に接続されており、熱機器の動作を制御するメイン制御部と、電源部に接続されており、外部機器と通信を実行可能な通信モジュールと、メイン制御部と電源部との間に配置され、電源部からメイン制御部に電力が供給される供給状態と、電源部からメイン制御部への電力の供給が停止される遮断状態と、の間で切り替え可能な切替部と、を備える。通信モジュールには、電源部から電力が常時供給される。【選択図】図２
2020133967.tif 000002
【特許請求の範囲】
【請求項１】
熱機器であって、
電源部に接続されており、前記熱機器の動作を制御するメイン制御部と、
前記電源部に接続されており、外部機器と通信を実行可能な通信モジュールと、
前記メイン制御部と前記電源部との間に配置され、前記電源部から前記メイン制御部に電力が供給される供給状態と、前記電源部から前記メイン制御部への電力の供給が停止される遮断状態と、の間で切り替え可能な切替部と、
を備え、
前記通信モジュールには、前記電源部から電力が常時供給される、
熱機器。
【請求項２】
前記通信モジュールは、前記熱機器に関する熱機器情報を前記外部機器に送信する、請求項１に記載の熱機器。
【請求項３】
前記通信モジュールは、
前記切替部が前記供給状態にある場合において、所定周期毎に、前記熱機器情報を複数の前記外部機器に送信し、
前記切替部が前記遮断状態にある場合において、前記所定周期毎に、前記熱機器情報を前記複数の外部機器のうちの一部の特定外部機器に送信する、請求項２に記載の熱機器。
【請求項４】
前記熱機器は、さらに、前記メイン制御部に供給される電圧値を測定する第１電圧測定部を備え、
前記熱機器情報は、前記第１電圧測定部によって測定される前記メイン制御部に供給される電圧値に関係する第１電圧関係情報を含む、請求項２又は３に記載の熱機器。
【請求項５】
前記熱機器は、さらに、電池を有する前記電源部を備える、請求項２〜４のいずれか一項に記載の熱機器。
【請求項６】
前記熱機器は、さらに、前記電池の電圧値を測定する第２電圧測定部を備え、
前記熱機器情報は、前記第２電圧測定部によって測定される前記電池の電圧値に関係する第２電圧関係情報を含む、請求項５に記載の熱機器。
【発明の詳細な説明】
【技術分野】
【０００１】
本明細書で開示する技術は、熱機器に関する。
【背景技術】
【０００２】
特許文献１には、電源部に接続されており、熱機器の動作を制御するメイン制御部と、電源部に接続されている通信モジュールと、電源部とメイン制御部の間、及び、電源部と通信モジュールの間に配置される切替部と、を備える熱機器が開示されている。切替部は、電源部からメイン制御部及び通信モジュールに電力が供給される供給状態と、電源部からメイン制御部及び通信モジュールへの電力の供給が停止される遮断状態と、の間で切り替え可能である。
【先行技術文献】
【特許文献】
【０００３】
【特許文献１】特開２０１８−４０５１５号公報
【発明の概要】
【発明が解決しようとする課題】
【０００４】
特許文献１の熱機器の場合、電源部からメイン制御部への電力の供給を停止させるために、切替部を供給状態から遮断状態に切り替えると、通信モジュールへの電力の供給も停止される。従って、熱機器は、切替部が遮断状態にある場合、通信モジュールを利用した外部機器との通信を実行することができない。このような熱機器において、外部機器との通信を実行可能な状態を維持し続けることが望まれている。特許文献１の熱機器の場合、外部機器との通信を実行可能な状態を維持するためには、切替部を供給状態に維持し続ける必要がある。この場合、電源部からメイン制御部及び通信モジュールに電力が常時供給されるため、消費電力が大きくなってしまう。
【０００５】
本明細書では、通信モジュールを利用した外部機器との通信を実行可能な状態を維持しつつ、消費電力を抑制できる技術を提供する。
【課題を解決するための手段】
【０００６】
本明細書によって開示される熱機器は、電源部に接続されており、前記熱機器の動作を制御するメイン制御部と、前記電源部に接続されており、外部機器と通信を実行可能な通信モジュールと、前記メイン制御部と前記電源部との間に配置され、前記電源部から前記メイン制御部に電力が供給される供給状態と、前記電源部から前記メイン制御部への電力の供給が停止される遮断状態と、の間で切り替え可能な切替部と、を備え、前記通信モジュールには、前記電源部から電力が常時供給される。
【０００７】
上記の構成によると、切替部が供給状態及び遮断状態のいずれの状態であっても、電源部から通信モジュールに電力が供給される。即ち、通信モジュールは、電源部からメイン制御部への電力の供給が停止されている状態であっても、外部機器との通信を実行可能な状態に維持される。従って、熱機器は、電源部からメイン制御部への電力の供給が停止されている状態であっても、通信モジュールを利用して、外部機器との通信を実行することができる。また、通信モジュールが動作する際の消費電力は比較的に小さい。従って、通信モジュールを利用した外部機器との通信を実行可能な状態を維持しつつ、熱機器の消費電力を抑制することができる。
【０００８】
上記の熱機器において、通信モジュールは、熱機器に関する熱機器情報を外部機器に送信してもよい。
【０００９】
上記の構成によると、通信モジュールは、切替部の状態に関わらず、熱機器情報を外部機器に送信することができる。従って、熱機器のユーザは、切替部が遮断状態であっても、外部機器に送信される熱機器情報を確認することで、熱機器の状態を知ることができる。
【００１０】
上記の熱機器において、通信モジュールは、切替部が供給状態にある場合において、所定周期毎に、熱機器情報を複数の外部機器に送信し、切替部が遮断状態にある場合において、所定周期毎に、熱機器情報を複数の外部機器のうちの一部の特定外部機器に送信してもよい。
【００１１】
上記の構成によると、通信モジュールは、切替部が遮断状態にある場合において、熱機器情報を複数の外部機器のうちの一部の特定外部機器に送信する。従って、切替部が遮断状態にある場合において、複数の外部機器の全てに熱機器情報が送信される構成と比較して、熱機器の消費電力を抑制することができる。
【００１２】
上記の熱機器は、さらに、メイン制御部に供給される電圧値を測定する第１電圧測定部を備え、熱機器情報は、第１電圧測定部によって測定されるメイン制御部に供給される電圧値に関係する第１電圧関係情報を含んでもよい。
【００１３】
上記の構成によると、熱機器のユーザは、外部機器に送信される第１電圧関係情報を確認することで、メイン制御部への電力の供給が停止されている状態なのか否かを知ることができる。
【００１４】
上記の熱機器は、さらに、電池を有する電源部を備えてもよい。
【００１５】
上記の構成では、電池からメイン制御部及び通信モジュールに供給される電力が足りなくなる場合に、電池を交換する必要がある。電池を交換する頻度が高いと、ユーザにとって煩わしい。上述のように、通信モジュールが動作する際の消費電力は比較的に小さい。このため、切替部が遮断状態における電池の消費が抑制される。このため、電池の交換頻度を低減することができ、ユーザの利便性を高めることができる。
【００１６】
上記の熱機器は、さらに、電池の電圧値を測定する第２電圧測定部を備え、熱機器情報は、第２電圧測定部によって測定される電池の電圧値に関係する第２電圧関係情報を含んでもよい。
【００１７】
上記の構成によると、熱機器のユーザは、外部機器に送信される第２電圧関係情報を確認することで、熱機器に装着されている電池を交換すべきか否かを判断することができる。従って、熱機器のユーザは、電池からメイン制御部及び通信モジュールに供給される電力が不足する前に、電池を交換することができる。この結果、電池からメイン制御部及び通信モジュールに供給される電力が不足しているために、熱機器が動作しない状況が発生することを抑制することができる。
【図面の簡単な説明】
【００１８】
【図１】本実施例に係る加熱調理システムの構成を示す図である。
【図２】本実施例に係る加熱調理器の回路構成の概略を示す図である。
【図３】本実施例の調理器情報送信処理のフローチャートである。
【図４】本実施例のサーバ処理のフローチャートである。
【図５】本実施例において、携帯端末に表示される各画面の一例である。
【図６】本実施例において、加熱調理器から調理器情報が送信されるシーケンス図である。
【発明を実施するための形態】
【００１９】
（加熱調理システム２の構成；図１）
図１に示すように加熱調理システム２は、加熱調理器１０と、警報器９０と、携帯端末１００と、管理サーバ２００と、中継機６と、を備える。加熱調理器１０、警報器９０、及び、中継機６は、同じ家屋に設置されている。なお、図１では、Ｂｌｕｅｔｏｏｔｈ(登録商標)方式に従ったＢｌｕｅｔｏｏｔｈ（以下では、「ＢＴ」と記載する。）通信を実行するためのＢＴ接続を一点鎖線で示し、Ｗｉ−Ｆｉ方式に従ったＷｉ−Ｆｉ通信を実行するためのＷｉ−Ｆｉ接続を２点鎖線で示している。
【００２０】
加熱調理器１０と警報器９０は、ＢＴ通信を介して、互いに通信可能である。また、加熱調理器１０と中継機６は、ＢＴ通信を介して、互いに通信可能である。また、加熱調理器１０と携帯端末１００は、ＢＴ通信を介して、互いに通信可能である。携帯端末１００及び中継機６は、それぞれ、Ｗｉ−Ｆｉ方式に従ったＷｉ−Ｆｉ通信を実行して、インターネット４に接続可能である。管理サーバ２００は、インターネット４に接続されている。加熱調理器１０は、中継機６を介して、インターネット４にアクセス可能である。
【００２１】
（加熱調理器１０の構成；図１、図２）
図１、図２を参照して、加熱調理器１０の構成について説明する。図２に、加熱調理器１０の回路構成の概略が示されている。図１に示すように、加熱調理器１０は、コンロバーナ１２と、グリルバーナ１４と、電源スイッチ１６と、メイン制御基板２０と、ＢＴモジュール３０と、電池装着部５０と、を備える。電池装着部５０には、電池５２が装着される。電池５２は、例えば乾電池や充電池であって、加熱調理器１０の各電子部品に電力を供給する。
【００２２】
コンロバーナ１２は、加熱対象（例えば、調理容器）を加熱するためのバーナである。コンロバーナ１２には、ガス供給路（図示省略）が接続されている。ガス供給路には、コンロバーナ１２へのガスの供給量を調整するためのコンロ調整弁（図示省略）が設けられている。コンロバーナ１２は、コンロバーナ１２にガスが供給されている状態でイグナイタ（図示省略）を動作させることで、点火する。本実施例では、加熱調理器１０は３個のコンロバーナ１２を有する。グリルバーナ１４は、グリル庫（図示省略）内に収容される食材を加熱するためのバーナである。電源スイッチ１６は、加熱調理器１０の電源ＯＮと電源ＯＦＦを切り替えるためのスイッチである。
【００２３】
メイン制御基板２０は、メイン制御回路２２と、電源遮断回路２６と、通信回路２８と、を備える。メイン制御回路２２は、ＣＰＵ２４、メモリ（図示省略）を備える。メイン制御回路２２は、ＣＰＵ２４がメモリに記憶された情報に基づいて処理を実行することで、加熱調理器１０の各構成要素の動作を制御する。
【００２４】
図２に示すように、電源遮断回路２６は、電池５２からメイン制御回路２２に電力が供給されている状態（以下では、「供給状態」と呼ぶ）と、電池５２からメイン制御回路２２への電力の供給が停止されている状態（以下では、「遮断状態」と呼ぶ）と、を切り替えるためのスイッチング回路である。電源遮断回路２６は、メイン制御回路２２と電池５２との間に設けられている。電源遮断回路２６は、電源スイッチ１６に連動して動作する。即ち、電源スイッチ１６が操作される毎に、電源遮断回路２６の状態が切り替えられる。通信回路２８は、ＢＴモジュール３０（詳細にはＢＴ制御回路３２）との通信を実行するための回路である。
【００２５】
図１に示すように、ＢＴモジュール３０は、ＢＴ制御回路３２と、メイン電圧測定回路３６と、電池電圧測定回路３８と、通信回路４０と、ＢＴ通信回路４２と、を備える。なお、図２では、ＢＴ通信回路４２の記載を省略している。
【００２６】
図２に示すように、ＢＴモジュール３０は、メイン制御基板２０に並列に設けられている。このため、電源遮断回路２６が遮断状態であっても、電池５２からＢＴモジュール３０に電力が供給される。即ち、ＢＴモジュール３０には、電池５２から電力が常時供給される。このため、本実施例において、加熱調理器１０の電源がＯＮとは、メイン制御基板２０及びＢＴモジュール３０に電力が供給されている状態を意味する。加熱調理器１０の電源がＯＦＦとは、メイン制御基板２０への電力の供給が停止されており、かつ、ＢＴモジュール３０に電力が供給されている状態を意味する。
【００２７】
ＢＴ制御回路３２は、ＣＰＵ３４、メモリ（図示省略）を備える。ＢＴ制御回路３２は、ＣＰＵ３４がメモリに記憶された情報に基づいて処理を実行することで、ＢＴモジュール３０の各構成要素の動作を制御する。
【００２８】
メイン電圧測定回路３６は、メイン制御基板２０（詳細にはメイン制御回路２２）に供給される電圧値であるメイン電圧ＭＶを測定するための回路である。電池電圧測定回路３８は、電池５２の電圧値である電池電圧ＢＶを測定するための回路である。通信回路４０は、メイン制御基板２０（詳細にはメイン制御回路２２）との通信を実行するための回路である。
【００２９】
図１のＢＴ通信回路４２は、外部機器とのＢＴ通信を実行するための無線通信回路である。
【００３０】
（警報器９０の構成；図１）
警報器９０は、室内の一酸化炭素（ＣＯ）濃度に異常がある場合に、その異常を周囲に知らせる機器である。警報器９０は、ブザー、スピーカー、ランプ等の報知手段９２を備える。
【００３１】
（携帯端末１００の構成；図１）
携帯端末１００は、携帯電話、スマートフォン等の可搬型の端末装置である。携帯端末１００は、表示部１０２と、操作部１０４と、ＢＴ通信回路１０６と、Ｗｉ−Ｆｉ通信回路１０８と、端末制御回路１１０と、を備える。表示部１０２は、様々な情報を表示するためのディスプレイである。表示部１０２は、いわゆるタッチパネル（即ち操作部１０４）として機能してもよい。操作部１０４は、複数のキーを備える。使用者は、操作部１０４を操作することによって、様々な指示を携帯端末１００に入力することができる。ＢＴ通信回路１０６は、外部機器とのＢＴ通信を実行するための無線通信回路である。携帯端末１００は、ＢＴ通信回路１０６を介して、加熱調理器１０とＢＴ通信を実行可能である。Ｗｉ−Ｆｉ通信回路１０８は、外部機器とのＷｉ−Ｆｉ通信を実行するための無線通信回路である。携帯端末１００は、Ｗｉ−Ｆｉ通信回路１０８を介して、インターネット４にアクセス可能である。端末制御回路１１０は、ＣＰＵ１１２と、メモリ１１４と、を備える。メモリ１１４は、揮発性メモリ、不揮発性メモリ等によって構成される。端末制御回路１１０は、ＣＰＵ１１２がメモリ１１４に記憶された情報に基づいて処理を実行することで、携帯端末１００の各構成要素の動作を制御する。メモリ１１４には、調理器アプリ１１６が記憶されている。調理器アプリ１１６は、加熱調理器１０のベンダによって提供されるプログラムであり、加熱調理器１０に自動調理を実行させるためのプログラムである。また、調理器アプリ１１６は、加熱調理器１０の動作状態を確認するためのプログラムでもある。
【００３２】
（管理サーバ２００の構成；図１）
管理サーバ２００は、加熱調理器１０のベンダによって提供されるサーバである。管理サーバ２００は、後述する図４のサーバ処理において、加熱調理器１０の動作状態に関する情報（後述する状態情報、「電源ＯＦＦ」等）、電池電圧ＢＶ等を含む調理器情報を定期的に加熱調理器１０から受信し、当該情報を蓄積する。また、管理サーバ２００は、携帯端末１００から要求信号を受信することに応じて、調理器情報を携帯端末１００に送信する。
【００３３】
（調理器情報送信処理；図３）
図３を参照して、加熱調理器１０のＢＴモジュール３０のＢＴ制御回路３２によって実行される調理器情報送信処理について説明する。ＢＴ制御回路３２は、加熱調理器１０の電池装着部５０に電池５２がセットされる場合、即ち電池５２からＢＴモジュール３０への電力の供給が開始される場合に、図３の処理を開始する。なお、以下の処理では、加熱調理器１０と中継機６との間、及び、加熱調理器１０と警報器９０との間に、ＢＴ接続が確立されている状況を想定して説明する。
【００３４】
ステップＳ１０において、ＢＴ制御回路３２は、加熱調理器１０の電源がＯＦＦからＯＮに切り替えられてからの経過時間が第１所定時間（例えば１０秒）を経過することを監視する。ＢＴ制御回路３２は、加熱調理器１０の電源がＯＦＦからＯＮに切り替えられてからの経過時間が第１所定時間を経過する場合に、ステップＳ１０でＹＥＳと判断し、処理はステップＳ２０に進む。
【００３５】
ステップＳ２０において、ＢＴ制御回路３２は、メイン制御基板２０に電力が供給されているのか否かを判断する。具体的には、ＢＴ制御回路３２は、メイン電圧測定回路３６によって測定されるメイン電圧ＭＶが第１所定電圧（例えば２．５Ｖ）以上であるのか否かを判断する。ＢＴ制御回路３２は、メイン電圧ＭＶが第１所定電圧以上である場合に、ステップＳ２０でＹＥＳと判断し、処理はステップＳ２２に進む。一方、ＢＴ制御回路３２は、メイン電圧ＭＶが第１所定電圧未満である場合に、ステップＳ２０でＮＯと判断し、処理はステップＳ３０に進む。
【００３６】
ステップＳ２２において、ＢＴ制御回路３２は、メイン制御回路２２から加熱調理器１０の状態情報を取得する。具体的には、ＢＴ制御回路３２は、通信回路２８、４０を介して、状態情報要求をメイン制御回路２２に供給する。メイン制御回路２２は、状態情報要求を取得すると、コンロバーナ１２及びグリルバーナ１４の動作状態を特定する。そして、メイン制御回路２２は、通信回路４０を介して、特定した動作状態を含む状態情報をＢＴ制御回路３２に供給する。例えば、状態情報は、３個のコンロバーナ１２のうち少なくとも１個のコンロバーナ１２が動作中である場合、「コンロＯＮ」を含む。また、状態情報は、グリルバーナ１４が動作中である場合、「グリルＯＮ」を含む。また、状態情報は、コンロバーナ１２及びグリルバーナ１４の動作が停止している場合、「電源ＯＮ」を含む。
【００３７】
ステップＳ２４において、ＢＴ制御回路３２は、メイン制御回路２２から取得された状態情報を含む調理器情報を中継機６及び警報器９０に送信する。なお、ＢＴ制御回路３２は、携帯端末１００とのＢＴ接続が確立されている場合、携帯端末１００にも調理器情報を送信する。ステップＳ２４が終了すると、処理はステップＳ１０に戻る。なお、ＢＴ制御回路３２は、ステップＳ２４を経た後のステップＳ１０では、調理器情報を送信してからの経過時間が第１所定時間を経過することを監視する。
【００３８】
一方、ＢＴ制御回路３２は、メイン電圧ＭＶが第１所定電圧未満である場合に、ステップＳ２０でＮＯと判断し、ステップＳ３０において、調理器情報を中継機６に送信する。ステップＳ３０における調理器情報は、加熱調理器１０の電源がＯＦＦであることを示す「電源ＯＦＦ」、及び、電池電圧測定回路３８によって測定される電池電圧ＢＶを含む。なお、中継機６は、加熱調理器１０から調理器情報を受信すると、インターネット４を介して、当該調理器情報を管理サーバ２００に送信する。このように、ＢＴ制御回路３２は、メイン電圧ＭＶが第１所定電圧未満である場合（ステップＳ２０でＮＯ）に、警報器９０及び携帯端末１００に調理器情報を送信しない。ステップＳ３０が終了すると、処理はステップＳ１０に戻る。なお、ＢＴ制御回路３２は、ステップＳ３０を経た後のステップＳ１０では、調理器情報を送信してからの経過時間が第１所定時間を経過することを監視する。
【００３９】
（サーバ処理；図４）
続いて、図４を参照して、管理サーバ２００によって実行される処理について説明する。ステップＳ１１０において、管理サーバ２００は、加熱調理器１０から調理器情報を受信することを監視する。管理サーバ２００は、加熱調理器１０から調理器情報を受信する場合に、ステップＳ１１０でＹＥＳと判断して、処理はステップＳ１１２に進む。ステップＳ１１２において、管理サーバ２００は、ステップＳ１１０で受信した調理器情報を管理サーバ２００のメモリ（図示省略）に記憶させる。ステップＳ１１２が終了すると、処理はステップＳ１１０に戻る。
【００４０】
また、管理サーバ２００は、ステップＳ１１０の監視と同時的に、ステップＳ１２０において、要求信号を携帯端末１００から受信することを監視する。要求信号は、管理サーバ２００のメモリに記憶されている調理器情報の送信を要求する信号である。例えば、加熱調理器１０のユーザは、外出先などにおいて、加熱調理器１０の動作状態を知りたい場合に、携帯端末１００内の調理器アプリ１１６を起動させる。そして、ユーザによって、加熱調理器１０の動作状態を確認するための操作が携帯端末１００の操作部１０４に実行されると、携帯端末１００から管理サーバ２００に要求信号が送信される。管理サーバ２００は、携帯端末１００から要求信号を受信する場合に、ステップＳ１２０でＹＥＳと判断し、処理はステップＳ１２２に進む。
【００４１】
ステップＳ１２２において、管理サーバ２００は、中継機６とのインターネット４を介した接続が現在確立されているのか否かを判断する。本実施例では、管理サーバ２００は、中継機６とのインターネット４を介した接続が確立されていることを確認するための確認信号を、中継機６に送信する。中継機６は、管理サーバ２００から確認信号を受信すると、確認信号に対する応答信号を管理サーバ２００に送信する。管理サーバ２００は、中継機６から応答信号を受信する場合に、ステップＳ１２２でＹＥＳと判断し、処理はステップＳ１２４に進む。一方、管理サーバ２００は、中継機６から応答信号を受信しない場合に、ステップＳ１２２でＮＯと判断し、処理はＳ１３２に進む。なお、変形例では、管理サーバ２００は、確認信号を定期的に中継機６に送信するように構成されていてもよい。
【００４２】
ステップＳ１２４において、管理サーバ２００は、中継機６と加熱調理器１０との間のＢＴ接続が現在確立されているのか否かを判断する。本実施例では、管理サーバ２００は、最新の調理器情報を受信してからの経過時間が第２所定時間以上であるのか否かに基づいて、中継機６と加熱調理器１０との間のＢＴ接続が現在確立されているのか否かを判断する。第２所定時間は、第１所定時間よりも長い時間であればよい。管理サーバ２００は、最新の調理器情報を受信してからの経過時間が第２所定時間未満である場合に、ステップＳ１２４でＹＥＳと判断し、処理はステップＳ１３０に進む。一方、管理サーバ２００は、最新の調理器情報を受信してからの経過時間が第２所定時間以上である場合に、ステップＳ１２４でＮＯと判断し、処理はステップＳ１３２に進む。なお、変形例では、管理サーバ２００は、中継機６から、中継機６と加熱調理器１０との間のＢＴ接続が確立されているのか否を示す情報を受信してもよい。
【００４３】
ステップＳ１３０において、管理サーバ２００は、管理サーバ２００のメモリ内の調理器情報を携帯端末１００に送信する。携帯端末１００は、管理サーバ２００から調理器情報を受信すると、調理器情報内の情報に対応する画面を表示部１０２に表示させる。調理器情報が「電源ＯＦＦ」及び電池電圧ＢＶを含む場合、電源ＯＦＦ画面Ｄ１（図５（ａ）参照）が表示部１０２に表示される。電源ＯＦＦ画面Ｄ１には、加熱調理器１０の電源がＯＦＦされていることを示すメッセージ及び電池電圧ＢＶが表示部１０２に表示される。また、調理器情報が「電源ＯＮ」を含む場合、停止中画面Ｄ２（図５（ｂ）参照）が表示される。停止中画面Ｄ２には、コンロバーナ１２及びグリルバーナ１４の動作が停止中であることを示すメッセージが表示される。また、調理器情報が「コンロバーナＯＮ」、又は、「グリルＯＮ」を含む場合、燃焼中画面Ｄ３（図５（ｃ）参照）が表示部１０２に表示される。燃焼中画面Ｄ３には、コンロバーナ１２又はグリルバーナ１４が動作中であることを示すメッセージが表示される。このように、加熱調理器１０のユーザは、加熱調理器１０の現在の動作状態を知ることができる。ステップＳ１３０が終了すると、処理はステップＳ１１０に戻る。
【００４４】
また、ステップＳ１３２において、管理サーバ２００は、通信異常情報を携帯端末１００に送信する。携帯端末１００は、管理サーバ２００から通信異常情報を受信すると、通信異常画面Ｄ４（図５（ｄ）参照）を表示部１０２に表示させる。通信異常画面Ｄ４には、通信異常を示すメッセージが表示される。ステップＳ１３２が終了すると、処理はステップＳ１１０に戻る。
【００４５】
（具体的なケース；図６）
続いて、図３、図４の処理によって実現される具体的なケースについて説明する。本ケースの初期状態では、加熱調理器１０の電池装着部５０には電池５２が装着されており、加熱調理器１０の電源はＯＦＦである。従って、電池５２からＢＴモジュール３０に電力が供給されており、かつ、電池５２からメイン制御基板２０への電力の供給は停止されている。
【００４６】
Ｔ１０において、ユーザによって、加熱調理器１０の電源をＯＮにするための操作が電源スイッチ１６に実行される。この場合、メイン制御基板２０の電源遮断回路２６が、遮断状態から供給状態に切り替わる。そして、電池５２からメイン制御回路２２への電力の供給が開始される。
【００４７】
Ｔ１２において、ユーザによって、コンロバーナ１２を点火させるための点火操作が加熱調理器１０に実行される。この場合、メイン制御回路２２は、コンロバーナ１２を点火させる。
【００４８】
ＢＴ制御回路３２は、加熱調理器１０の電源がＯＮになってから第１所定時間が経過すると（図３のステップＳ１０でＹＥＳ）、Ｔ２０において、メイン制御基板２０に電力が供給されていると判断し（ステップＳ２０でＹＥＳ）、状態情報要求をメイン制御回路２２に供給する。
【００４９】
メイン制御回路２２は、Ｔ２０において、ＢＴ制御回路３２から状態情報要求を取得すると、コンロバーナ１２が燃焼中であると判断し、「コンロバーナＯＮ」を含む状態情報をＢＴ制御回路３２に供給する。
【００５０】
ＢＴ制御回路３２は、Ｔ２２において、メイン制御回路２２から状態情報を取得すると（図３のステップＳ２２）、Ｔ３０において、ＢＴ通信回路４２及び中継機６を介して、調理器情報を管理サーバ２００に送信する。また、ＢＴ制御回路３２は、Ｔ３２において、調理器情報を警報器９０に送信する。
【００５１】
管理サーバ２００は、Ｔ３０において、加熱調理器１０から調理器情報を受信すると、Ｔ３４において、調理器情報を管理サーバ２００のメモリに記憶させる。
【００５２】
その後、Ｔ４０において、ユーザによって、右コンロバーナをＯＦＦにするための操作が実行される。この場合、メイン制御回路２２は、Ｔ４２において、コンロバーナ１２を消火する。そして、Ｔ４４において、ユーザによって、加熱調理器１０の電源をＯＦＦにするための操作が電源スイッチ１６に実行される。この場合、メイン制御基板２０の電源遮断回路２６が、供給状態から遮断状態に切り替わり、電池５２からメイン制御回路２２への電力の供給が停止する。
【００５３】
ＢＴ制御回路３２は、調理器情報を送信してからの経過時間が第１所定時間を経過すると（図３のステップＳ１０でＹＥＳ）、メイン制御基板２０に電力が供給されていないと判断し（ステップＳ２０でＮＯ）、電池電圧ＢＶを特定する。そして、ＢＴ制御回路３２は、Ｔ５０において、ＢＴ通信回路４２及び中継機６を介して、「電源ＯＦＦ」及び電池電圧ＢＶを含む調理器情報を管理サーバ２００に送信する。
【００５４】
管理サーバ２００は、Ｔ５０において、加熱調理器１０から調理器情報を受信すると、Ｔ５２において、調理器情報を管理サーバ２００のメモリに記憶させる。
【００５５】
上述のように、メイン制御基板２０の電源遮断回路２６が供給状態及び遮断状態のいずれの状態であっても、電池５２からＢＴモジュール３０に電力が供給される。即ち、ＢＴモジュール３０は、電池５２からメイン制御基板２０への電力の供給が停止されている状態であっても、外部機器との通信を実行可能な状態に維持される。従って、加熱調理器１０は、電池５２からメイン制御基板２０への電力の供給が停止されている状態であっても、ＢＴモジュール３０を利用して、外部機器との通信を実行することができる。また、ＢＴモジュール３０が動作する際の消費電力は比較的に小さい。従って、ＢＴモジュール３０を利用した外部機器との通信を実行可能な状態を維持しつつ、加熱調理器１０の消費電力を抑制することができる。
【００５６】
また、ＢＴモジュール３０は、メイン制御基板２０の電源遮断回路２６の状態に関わらず、調理器情報を携帯端末１００に送信する。従って、加熱調理器１０のユーザは、電源遮断回路２６が遮断状態であっても、携帯端末１００に送信される調理器情報を確認することで、加熱調理器１０の状態を知ることができる。
【００５７】
また、ＢＴモジュール３０は、メイン制御基板２０の電源遮断回路２６が供給状態にある場合（図３のステップＳ２０でＹＥＳ）において、調理器情報を複数の外部機器（例えば中継機６、警報器９０、携帯端末１００）に送信する。一方、ＢＴモジュール３０は、電源遮断回路２６が遮断状態にある場合（図３のステップＳ２０でＮＯ）において、調理器情報を中継機６にのみ送信する。従って、電源遮断回路２６が遮断状態にある場合において、複数の外部機器の全てに調理器情報が送信される構成と比較して、加熱調理器１０の消費電力を抑制することができる。
【００５８】
また、加熱調理器１０は、電池５２から供給される電力によって動作する。このような構成では、電池５２からメイン制御基板２０及びＢＴモジュール３０に供給される電力が足りなくなる場合に、電池５２を交換する必要がある。電池５２を交換する頻度が高いと、ユーザにとって煩わしい。上述のように、ＢＴモジュール３０が動作する際の消費電力は比較的に小さい。このため、電源遮断回路２６が遮断状態における電池５２の消費が抑制される。このため、電池５２の交換頻度を低減することができ、ユーザの利便性を高めることができる。
【００５９】
また、ＢＴモジュール３０は、メイン制御基板２０の電源遮断回路２６が遮断状態にある場合（図３のステップＳ２０でＮＯ）において、電池電圧測定回路３８によって測定される電池電圧ＢＶを含む調理器情報を中継機６に送信する（ステップＳ３０）。そして、中継機６は、当該調理器情報を管理サーバ２００に送信する。この場合、加熱調理器１０のユーザは、携帯端末１００を操作して、管理サーバ２００に記憶されている調理器情報を取得し、調理器情報内の電池電圧ＢＶを確認することができる。従って、加熱調理器１０のユーザは、加熱調理器１０に装着されている電池５２を交換すべきか否かを判断することができる。従って、加熱調理器１０のユーザは、電池５２からメイン制御基板２０及びＢＴモジュール３０に供給される電力が不足する前に、電池５２を交換することができる。この結果、電池５２からメイン制御基板２０及びＢＴモジュール３０に供給される電力が不足しているために、加熱調理器１０が動作しない状況が発生することを抑制することができる。
【００６０】
また、ＢＴ方式に従った通信を実行可能なモジュールによって消費される消費電力は、例えば、Ｗｉ−Ｆｉ（登録商標）方式に従った通信を実行可能なモジュールによって消費される消費電力よりも小さい。従って、ＢＴモジュール３０を利用した外部機器との通信を実行可能な状態を維持しつつ、加熱調理器１０の消費電力を抑制することができる。
【００６１】
（対応関係）
加熱調理器１０が、「熱機器」の一例である。メイン制御回路２２、ＢＴモジュール３０が、それぞれ、「メイン制御部」と、「通信モジュール」の一例である。電源遮断回路２６が、「切替部」の一例である。第１所定時間が、「所定周期」の一例である。調理器情報が、「熱機器情報」の一例である。中継機６、警報器９０、及び、携帯端末１００が、「複数の外部機器」の一例である。中継機６が、「一部の特定外部機器」の一例である。メイン電圧測定回路３６、電池電圧測定回路３８が、それぞれ、「第１電圧測定部」、「第２電圧測定部」の一例である。調理器情報内の「電源ＯＮ」及び「電源ＯＦＦ」が、「第１電圧関係情報」の一例である。調理器情報内の電池電圧ＢＶが、「第２電圧関係情報」の一例である。
【００６２】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００６３】
（第１変形例）「熱機器」は、加熱調理器１０に限定されず、食器洗浄機、衣類乾燥機等であってもよい。
【００６４】
（第２変形例）「通信モジュール」は、ＢＴモジュール３０に限定されず、Ｗｉ−Ｆｉモジュール等の無線通信モジュールであってもよいし、有線通信モジュールであってもよい。
【００６５】
（第３変形例）加熱調理器１０は、電池装着部５０を有しておらず、商用電源を電力供給源として動作してもよい。本変形例では、商用電源が、「電源部」の一例である。
【００６６】
（第４変形例）ＢＴ制御回路３２は、図３のステップＳ３０において、調理器情報を、中継機６及び警報器９０に送信してもよい。また、ＢＴ制御回路３２は、携帯端末１００とのＢＴ接続が確立されている場合、携帯端末１００にも調理器情報を送信してもよい。
【００６７】
（第５変形例）ＢＴ制御回路３２は、図３のステップＳ３０において、メイン電圧ＭＶ及び電池電圧ＢＶを含む調理器情報を中継機６に送信してもよい。本変形例では、管理サーバ２００は、図４のステップＳ１１２において、メイン電圧ＭＶ及び電池電圧ＢＶを含む調理器情報を記憶する。そして、管理サーバ２００は、当該調理器情報が記憶されている状態において、携帯端末１００から要求信号を受信すると、メイン電圧ＭＶ及び電池電圧ＢＶを含む調理器情報を携帯端末１００に送信する。この場合、携帯端末１００の表示部１０２には、メイン電圧ＭＶ及び電池電圧ＢＶを含む画面が表示される。このような構成によっても、ユーザは、加熱調理器１０の電源がＯＦＦされていることを知ることができる。また、本変形例では、ＢＴ制御回路３２は、ステップＳ２４において、メイン電圧ＭＶ及び状態情報を含む調理器情報を中継機６及び警報器９０に送信してもよい。本変形例では、メイン電圧ＭＶが「第１電圧関係情報」の一例である。
【００６８】
（第６変形例）ＢＴ制御回路３２は、図３のステップＳ２０でＮＯと判断される場合に、電池電圧ＢＶが第２所定電圧以下であるのか否かを判断してもよい。第２所定電圧は、電池５２を交換する必要があるのか否かを判断するための閾値である。本変形例では、ＢＴ制御回路３２は、電池電圧ＢＶが第２所定電圧未満であると判断する場合に、ステップＳ３０において、「電源ＯＦＦ」、及び、電池電圧ＢＶが第２所定電圧未満であることを示す情報を含む調理器情報を中継機６に送信する。また、ＢＴ制御回路３２は、電池電圧ＢＶが第２所定電圧以上であると判断する場合に、ステップＳ３０において、「電源ＯＦＦ」、及び、電池電圧ＢＶが第２所定電圧以上であることを示す情報を含む調理器情報を中継機６に送信する。この場合、携帯端末１００の表示部１０２には、電池電圧ＢＶが第２所定電圧未満であることを示す情報、又は、電池電圧ＢＶが第２所定電圧以上であることを示す情報を含む画面が表示される。このような構成によっても、ユーザは、電池５２を交換する必要があるのか否かを知ることができる。本変形例では、電池電圧ＢＶが第２所定電圧未満であることを示す情報、及び、電池電圧ＢＶが第２所定電圧以上であることを示す情報が、「第２電圧関係情報」の一例である。
【００６９】
（第６変形例）加熱調理器１０は、メイン電圧測定回路３６及び電池電圧測定回路３８のうちの少なくとも一方の回路を備えていなくてもよい。本変形例では、「第１電圧測定部」及び「第２電圧測定部」のうちの少なくとも一方を省略可能である。
【００７０】
（第７変形例）管理サーバ２００は、メイン制御回路２２のＣＰＵ２４のメモリに記憶されている情報（例えばプログラム）を更新するための更新プログラムデータを加熱調理器１０に送信するように構成されていてもよい。本変形例では、ＢＴ制御回路３２は、中継機６を介して、管理サーバ２００から更新プログラムデータを受信する場合に、メイン制御基板２０に電力が供給されているのか否かを判断する。そして、ＢＴ制御回路３２は、メイン制御基板２０に電力が供給されていると判断する場合に、通信回路２８、４０を介して、更新プログラムデータをメイン制御回路２２に送信する。メイン制御回路２２は、受信した更新プログラムデータを利用して、ＣＰＵ２４のメモリ内の情報を更新する。一方、ＢＴ制御回路３２は、メイン制御基板２０に電力が供給されていないと判断する場合に、メイン制御基板２０への電力供給の状態が切り替わることを監視する。そして、ＢＴ制御回路３２は、メイン制御基板２０に電力が供給されていない状態から、メイン制御基板２０に電力が供給されている状態に切り替わったと判断する場合に、通信回路２８、４０を介して、更新プログラムデータをメイン制御回路２２に送信する。メイン制御回路２２は、受信した更新プログラムデータを利用して、ＣＰＵ２４のメモリ内の情報を更新する。このように、加熱調理器１０は、メイン制御基板２０に電力が供給されていない状態であっても、管理サーバ２００から更新プログラムデータを受信することができ、当該データを利用して、ＣＰＵ２４のメモリ内の情報を更新することができる。
【００７１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７２】
２        ：加熱調理システム
４        ：インターネット
６        ：中継機
１０      ：加熱調理器
１２      ：コンロバーナ
１４      ：グリルバーナ
１６      ：電源スイッチ
２０      ：メイン制御基板
２２      ：メイン制御回路
２４      ：ＣＰＵ
２６      ：電源遮断回路
２８      ：通信回路
３０      ：ＢＴモジュール
３２      ：ＢＴ制御回路
３４      ：ＣＰＵ
３６      ：メイン電圧測定回路
３８      ：電池電圧測定回路
４０      ：通信回路
４２      ：ＢＴ通信回路
５０      ：電池装着部
５２      ：電池
９０      ：警報器
９２      ：報知手段
１００    ：携帯端末
１０２    ：表示部
１０４    ：操作部
１０６    ：ＢＴ通信回路
１０８    ：Ｗｉ−Ｆｉ通信回路
１１０    ：端末制御回路
１１２    ：ＣＰＵ
１１４    ：メモリ
１１６    ：調理器アプリ
２００    ：管理サーバ
【図１】
2020133967.tif 000003
【図２】
2020133967.tif 000004
【図３】
2020133967.tif 000005
【図４】
2020133967.tif 000006
【図５】
2020133967.tif 000007
【図６】
2020133967.tif 000008